(57)【特許請求の範囲】
【請求項１】
土留用鋼管杭などの杭頭部を、工事完了後撤去する、杭頭の構造であって、
杭頭内部に底蓋を設け、
前記底蓋上に充填材を充填し、
前記充填材は、コンクリート製または鋼製のプレキャストブロックであり、
前記プレキャストブロックは、円柱を２分割し、且つその切断面は傾斜させて形成したことを特徴とする、
杭頭の構造。
【請求項２】
請求項１の杭頭の構造において、プレキャストブロックの頂部に、吊りフックを備えたアンカを埋設したことを特徴とする杭頭の構造。
【請求項３】
請求項１または請求項２の杭頭の構造において、底蓋は、板状体または井桁状体であることを特徴とする杭頭の構造。
【請求項４】
請求項１乃至請求項３の何れかに記載の杭頭の構造において、杭頭内面と充填材外面の間隙に、後詰め充填材を充填したことを特徴とする杭頭の構造。
【発明の詳細な説明】
【０００１】
【発明の属する技術分野】
本発明は、杭頭を一時的に補強するための、杭頭の構造に関する。
【０００２】
【従来の技術】
土留用鋼管杭などの杭頭部を、工事中は作業用台車の受け台として使用し、工事完了後撤去するという仮設工事がある。
以下図９、図１０を参照して説明する。
図９は土留用の鋼管杭１の杭頭部２に、作業用台車の受け台としてブラケット３を取り付け、その上にレール４を設置した片方だけを示した斜視図である。
杭頭部２には、重量の大きい作業用台車６の荷重が働くため、杭頭内部にコンクリートなどの充填材５を充填し、杭頭の変形を防止するため補強する必要がある。（図１０）
しかしこの補強方法では、工事が完了し不要となった杭頭部２を切断面７に沿って撤去する場合、充填材５が支障となり、撤去作業に多大な手間と費用がかかっていた。
【０００３】
【発明が解決しようとする課題】
本発明は、上記従来の問題点を解決するためなされたもので、簡単な構成で、工事完了後不要となった杭頭部を容易に撤去することができる杭頭の構造を提供することを目的とする。
【０００４】
【課題を解決するための手段】
杭頭内部に底蓋を設け、前記底蓋上に充填材を充填したことを特徴とする杭頭の構造であり、また、充填材は、コンクリート製または鋼製のプレキャストブロックであることを特徴とする杭頭の構造であり、さらにまた、プレキャストブロックは、２分割され、分割面は傾斜していることを特徴とする杭頭の構造である。
【０００５】
【課題を解決するための手段】
杭頭内部に底蓋を設け、前記底蓋上に充填材を充填し、充填材は、コンクリート製または鋼製のプレキャストブロックであり、プレキャストブロックは、２分割され、分割面は傾斜していることを特徴とする杭頭の構造である。
【０００６】
＜イ＞杭頭部の全体構成
図１は、本発明による杭頭部の全体構成を示す側面図である。
杭頭部２は、鋼管杭１の杭頭部２内部空間に設置された底蓋８と、底蓋８上に載置されるくさび受けプレキャストブロック９及びくさび形プレキャストブロック１０と、杭頭部２内面間隙に充填される後詰め充填材１１により構成されている。
【０００７】
＜ロ＞底蓋
底蓋８は杭頭部２の内部空間一面に設置され、設置位置は、工事完了後不要となる杭頭部２が切断される切断面７より上の位置に溶着して設置される。
底蓋８は後述するプレキャストブロックを支持するためのもので、円形の鋼板とするか又は図２に示すように、外縁を帯鋼板１２とし、中央部を鉄筋１３で井桁状とし溶着したものでもよい。
【０００８】
＜ハ＞くさび受けプレキャストブロック
杭頭部２に荷重がかかった時の変形などを防止するため、補強用の充填材としてくさび受けプレキャストブロック９を杭頭部２内部に挿入する。
くさび受けプレキャストブロック９の素材はコンクリート、鉄、又は内部に砂を充填したコンクリート製・鉄製ブロックでもよい。以下の説明ではコンクリートブロックの場合について説明する。
くさび受けプレキャストブロック９の頂部に、アンカ１２を埋設する。
アンカ１２先端部に吊りフック１４を設け、クレーンなどにより吊り下げできる構造としておく。
アンカ１２の埋設は、くさび受けプレキャストブロック９をクレーンなどにより吊り下げた時、垂直に吊り下げできるように考慮しておく必要がある。
くさび受けプレキャストブロック９の形状は、図３に示すように、円柱を上下方向に斜めに切断した形状となっている。
切断斜面１５は上向きの斜面として形成する。
【０００９】
＜ニ＞くさび形プレキャストブロック
前記くさび受けプレキャストブロック９と一対になって杭頭部２内部に挿入される補強用充填材である。
くさび形プレキャストブロック１０頂部には前記くさび受けプレキャストブロック９と同様、アンカ１２が埋設されている。
形状は図４に示すように、円柱を上下方向に斜めに切断した形状となっており、前記くさび受けプレキャストブロック９と切断面を合わせると、１個の円柱を呈するものである。
くさび形プレキャストブロック１０の切断斜面１６は下向きの斜面として形成する。
このくさび形プレキャストブロック１０は、杭頭部２内部に先に挿入された前記くさび受けプレキャストブロック９を、杭頭部２の内面に密着させるための、くさびとしての機能を有するものである。
【００１０】
＜ホ＞後詰め充填材
杭頭部２の内面と、杭頭部２内部に挿入されたプレキャストブロック９、１０の外面との間にできる間隙に充填されるもので、砂又はモルタルを用いる。
鋼管杭１は往々にして歪んだりして変形している場合が多く、杭頭部２内部にプレキャストブロック９、１０を挿入した際、間隙は均一でないことがある。
また、多少の間隙を取っておかないと、杭頭部２内部にプレキャストブロック９、１０を挿入する際、作業が行いにくい。
後詰め充填材１１は、この間隙をなくし、杭頭部２に荷重を均等に働かせる機能を有するものである。
【００１１】
【作用】
以下図５〜図８を参照して、本発明による杭頭の構造を、施工順序に従って説明する。
【００１２】
＜イ＞底蓋の設置
図５は、鋼管杭１の杭頭部２内部に底蓋８を取り付け、くさび受けプレキャストブロック９を挿入しようとしている状況を示す側面図である。
底蓋８は予め鋼管杭１の杭頭部２内部に取り付けておいてもよく、またはプレキャストブロック９、１０を挿入する前に取り付けてもよい。
【００１３】
＜ロ＞くさび受けプレキャストブロックの挿入
クレーンなどにより吊り下げられたくさび受けプレキャストブロック９は、切断斜面１５を上向きの状態で杭頭部２内部に挿入し、底蓋８上に載置して収納される。
【００１４】
＜ハ＞くさび形プレキャストブロックの挿入
図６は、くさび形プレキャストブロック１０を杭頭部２内部の空間に挿入しようとしている状況を示す側面図である。
先に挿入されているくさび受けプレキャストブロック９の切断斜面１５は上向きの状態で杭頭部２内部に挿入されているため、くさび形プレキャストブロック１０の下向きの切断斜面１６は挿入時、その重量によりすべり込んで杭頭部２内面に密着していく。
【００１５】
＜ニ＞後詰め充填材の挿填
図７は、杭頭部２内部へプレキャストブロック９、１０を挿入し終わった状態を示す側面図である。
この状態において、プレキャストブロック９、１０の外周面と、杭頭部２の内周面の間に間隙ができている。この間隙に後詰め充填材１１を挿填する。
後詰め充填材１１は前記間隙をなくし、杭頭部２に荷重を均等に働かせる機能を有するものであるため、流動性のよいモルタルまたは砂などがよい。
【００１６】
＜ホ＞杭頭部の利用
図８は、前記により補強された杭頭部２を利用し、工事中は作業用台車の受け台として使用する状態を示す側面図である。
杭頭部２側面に取り付けたブラケット３上にレール４を配置し、レール４上を作業用台車６（図１０）が走行する。
【００１７】
＜ヘ＞杭頭部の撤去
工事完了後、不要となった杭頭部２を撤去する。
杭頭部２の撤去順序は前記による設置時と逆の順序に従って行われる。
まずくさび形プレキャストブロック１０を引きだし、次いでくさび受けプレキャストブロック９を引きだす。くさび形プレキャストブロック１０の切断面１６は下向きとなっているためスムースに引き抜きができる。
プレキャストブロック９、１０を引き抜き後、切断面７をガス切断する。
【００１８】
【発明の効果】
本発明は以上説明したようになるから、次のような効果を得ることができる。
＜イ＞杭頭部の補強用充填材を一対のプレキャストブロックとし、くさび効果を利用したので、杭頭部の変形を確実に防止できる。
＜ロ＞プレキャストブロックの外周面と、杭頭部の内周面の間隙に、後詰め充填材を挿填したので、間隙をなくし杭頭部に荷重を均等に働かせることができる。
＜ハ＞一対のプレキャストブロック外径は、杭頭部内径より間隙ができる程度に小さいので、プレキャストブロックの挿入、撤去作業が容易である。
＜ニ＞プレキャストブロックの撤去作業の際、先ずくさび形プレキャストブロックを引き抜き撤去することにより、残りのプレキャストブロックも容易に引き抜くことができる。
＜ホ＞杭頭部内部に底蓋を設けているので、プレキャストブロックを支持し、且つ、後詰め充填材の流出を防止できる。
＜ヘ＞杭頭部内部に設けた底蓋の位置が、杭頭部撤去の際の切断面より上であるため、切断作業が容易にできる。
【図面の簡単な説明】
【図１】本発明による杭頭部の全体構成を示す側面図。
【図２】底蓋の一実施例を示す平面図。
【図３】くさび受けプレキャストブロックの形状を示す斜視図。
【図４】くさび形プレキャストブロックの形状を示す斜視図。
【図５】くさび受けプレキャストブロックを挿入する状況を示す斜視図。
【図６】くさび形プレキャストブロックを挿入する状況を示す斜視図。
【図７】杭頭部内部へプレキャストブロックを挿入し終わった状態を示す斜視図。
【図８】杭頭部を利用し、作業用台車の受け台として使用する状態を示す斜視図。
【図９】従来の方法を示した部分斜視図。
【図１０】従来の方法を示した杭頭部拡大側面図。
【図１】
0003808967.tif 000002
【図２】
0003808967.tif 000003
【図３】
0003808967.tif 000004
【図４】
0003808967.tif 000005
【図５】
0003808967.tif 000006
【図６】
0003808967.tif 000007
【図７】
0003808967.tif 000008
【図８】
0003808967.tif 000009
【図９】
0003808967.tif 000010
【図１０】
0003808967.tif 000011